(57)【要約】【課題】吸引力の低下を防ぐことができる医療用吸引管および液体噴射装置を提供する。【解決手段】本発明の医療用吸引管１００は、吸引ポンプ１１と接続可能な医療用吸引管１００であって、排液を吸引する吸引管８０と、吸引手段としての吸引ポンプ１１と、吸引された排液や切除組織を収容する排液容器３と、を含み構成され、吸引管８０の内壁に溝８５が設けられている。【選択図】図２
2017184845.tif 000002
【特許請求の範囲】
【請求項１】
吸引ポンプと接続可能な医療用吸引管であって、
内壁に溝が設けられていることを特徴とする医療用吸引管。
【請求項２】
請求項１に記載の医療用吸引管において、
前記溝が直線状であることを特徴とする医療用吸引管。
【請求項３】
請求項１に記載の医療用吸引管において、
前記溝が螺旋状であることを特徴とする医療用吸引管。
【請求項４】
請求項１乃至３のうちいずれか１項に記載の医療用吸引管において、
前記溝の幅が０．５ｍｍ以上２ｍｍ以下、深さが０．２ｍｍ以上０．５ｍｍ以下である
ことを特徴とする医療用吸引管。
【請求項５】
液体を噴射する噴射口を有する噴射管と、
前記噴射管が内部に配置されている吸引管と、を備え、
前記吸引管の内壁に溝が設けられていることを特徴とする液体噴射装置。
【請求項６】
請求項５に記載の液体噴射装置において、
前記溝が螺旋状であることを特徴とする液体噴射装置。
【発明の詳細な説明】
【技術分野】
【０００１】
本発明は、医療用吸引管および液体噴射装置に関するものである。
【背景技術】
【０００２】
生体組織を切除・切開・破砕する手術において、切除組織や血液等が術野に溜まり、術
者の視野が確保できないことが発生しないよう、吸引装置を用いることが一般的である。
特許文献１では、繊細手術を行う施術者の手加減で、腔孔内部を通じて気管内部まで挿
入できるよう、手で任意に曲げ、任意に形状設定できる医療用吸引管が開示されている。
また、特許文献２では、噴射管が吸引管に偏心された状態で内挿し、吸引流路を大きく
することで、大きな切除組織を吸引でき、血液等の除去量も多くすることができる流体噴
射装置が開示されている。
【先行技術文献】
【特許文献】
【０００３】
【特許文献１】特開２００５−１９２６５４号公報
【特許文献２】特開２０１３−０３１４９３号公報
【発明の概要】
【発明が解決しようとする課題】
【０００４】
しかしながら、特許文献１に記載の医療用吸引管では、吸引管が粘度の高い液体や固形
物を吸引した際に、吸引物が吸引管を閉塞し吸引力が低下する、または吸引ができなくな
るという課題があった。
また、特許文献２に記載の流体噴射装置では、吸引管の内部に噴射管が配置されている
ため、吸引流路が狭くなり、吸引力が低下してしまう。また、吸引流路の大きさを確保す
るために吸引管の径を大きくすると術視野が狭くなってしまうという課題がある。
【課題を解決するための手段】
【０００５】
本発明は、上述の課題の少なくとも一部を解決するためになされたものであり、以下の
形態または適用例として実現することが可能である。
【０００６】
［適用例１］本適用例に係る医療用吸引管は、吸引ポンプと接続可能な医療用吸引管で
あって、内壁に溝が設けられていることを特徴とする。
【０００７】
本適用例によれば、内壁に溝が設けられているため、粘度の高い液体や固形物等の吸引
物を吸引しても吸引管内に隙間ができることになり、吸引物によって吸引管が閉塞される
虞を低減させることができる。したがって、吸引力の低下を防ぐことができる。
また、吸引管の内側に溝があることから、吸引管に溝がない場合に比べて、流路の断面
積が大きくなるので、流路抵抗が小さくなり吸引力が向上する。
従って、吸引力の安定した医療用吸引管を提供することができる。
【０００８】
［適用例２］上記適用例に記載の医療用吸引管は、前記溝が直線状であることが好まし
い。
【０００９】
本適用例によれば、溝が直線状であることにより、溝が曲がっている場合と比べて、溝
長さが短くなる。したがって、溝を設けて吸引管の内壁の表面積を最も小さくでき、これ
によって流路抵抗を少なくすることができる。
【００１０】
［適用例３］上記適用例に記載の医療用吸引管は、前記溝が螺旋状であることが好まし
い。
【００１１】
本適用例によれば、溝が螺旋状であるため、吸引する液体が溝にそって移動することに
なり、吸引する液体が吸引方向に対して回転する渦流ができる。この渦流によって流路の
中心に空気の層ができるので、吸引物のつまりを防ぐことができる。
【００１２】
［適用例４］上記適用例に記載の医療用吸引管は、前記溝の幅が０．５ｍｍ以上２ｍｍ
以下、深さが０．２ｍｍ以上０．５ｍｍ以下であることが好ましい。
【００１３】
本適用例によれば、溝の幅が０．５ｍｍ以上２ｍｍ以下対して、溝深さが０．２ｍｍ以
上０．５ｍｍ以下であるため、溝の幅が溝深さより大きい。そのため、流路の断面積の増
加に対して、液体と吸引管の内壁との接触面積が抑えられることになり、流路抵抗を減ら
すことができ、吸引力を上げることができる。
【００１４】
［適用例５］本適用例に係る液体噴射装置は、液体を噴射する噴射口を有する噴射管と
、前記噴射管が内部に配置されている吸引管と、を備え、前記吸引管の内壁に溝が設けら
れていることを特徴とする。
【００１５】
本適用例によれば、噴射管を内部に配置した、吸引管の内壁に溝が設けられているため
、吸引管に溝がない場合に比べて、流路の断面積が大きくなる。流路の断面積が大きくな
ることにより、流路抵抗が小さくなり吸引力が向上することができ、噴射された排出液の
除去量も多くなり、良好な術視野が得られる。
【００１６】
［適用例６］上記適用例に記載の液体噴射装置は、前記溝が螺旋状であることが好まし
い。
【００１７】
本適用例によれば、溝が螺旋状であるため、吸引する液体が溝にそって移動することに
なり、吸引する液体が吸引方向に対して回転する渦流ができる。この渦流によって流路の
中心に空気の層ができる。これによって、噴射管の前方に液体が存在する虞を低減するこ
とができ、噴射管から噴射された液体のエネルギーが減衰されることなく対象物に届くた
め、切除性能を向上することができる。
【図面の簡単な説明】
【００１８】
【図１】実施形態１に係る医療用吸引器を示す構成図。
【図２】実施形態１に係る吸引管の部分断面図。
【図３】図２のＡ−Ａ線の断面図。
【図４】実施形態１の変形例１に係る吸引管の部分断面図。
【図５】図４のＢ１−Ｂ１線の断面図。
【図６】図４のＢ２−Ｂ２線の断面図。
【図７】実施形態２に係る液体噴射装置を示す構成図。
【図８】実施形態２に係る液体噴射装置、噴射管、および吸引管を液体の噴射方向に沿って切断した切断面を示す断面図。
【図９】図８のＣ−Ｃ線の断面図。
【図１０】実施形態２の変形例２に係る噴射管と吸引管の先端部を拡大した部分断面図。
【発明を実施するための形態】
【００１９】
以下、本発明の実施の形態を図面に基づいて詳細に説明する。なお、以下に示す各図に
おいては、各構成要素を図面上で認識され得る程度の大きさとするため、各構成要素の寸
法や比率を実際の構成要素とは適宜に異ならせて記載する場合がある。
【００２０】
（実施形態１）
まず、実施形態１に係る医療用吸引管１００の概略構成について、図１〜図３を参照し
て説明する。
図１は、実施形態１に係る医療用吸引管を示す構成説明図である。図２は、実施形態１
の吸引管先端部を拡大した部分断面図である。図３は、図２のＡ−Ａ切断面を示す断面図
である。
【００２１】
図１において、医療用吸引管１００は、排液や切除組織（吸引物）を吸引する吸引管８
０と、吸引手段としての吸引ポンプ１１と、吸引された排液や切除組織を収容する排液容
器３と、を含み構成されている。吸引管８０と吸引ポンプ１１と排液容器３とは吸引チュ
ーブ５によって接続されている。
吸引管８０の先端には吸引開口部８２が設けられている。排液や切除組織は、吸引ポン
プ１１によって吸引され、吸引開口部８２から吸引流路８１及び吸引チューブ５を介して
排液容器３に収容される。
【００２２】
吸引管８０の内壁には、図２に示すように、吸引管８０の長手方向に沿って、直線状の
溝８５が設けられている。溝８５は吸引開口部８２から、吸引チューブ５との接続部分ま
で設けられている。また、溝８５は、図３に示すように、複数設けられており、具体的に
は、４個以上設けられていることが望ましい。このように、吸引管８０の内壁に溝８５が
設けられていることにより、溝８５を設けない場合と比べて吸引流路８１の断面積が広く
なる。その結果、流路抵抗が減少し、吸引力が向上する。また、溝８５の延びる方向が直
線状であるため、溝８５の延びる方向が曲がっている場合に比べて、溝８５の長さが短く
なる。したがって、溝８５を設けた吸引管の内壁の表面積を最も小さくでき、これによっ
て流路抵抗を少なくすることができる。
【００２３】
溝８５の形状は、溝８５の幅をａとし、深さをｂとし、吸引管８０の内径をｄ１とし、
厚みをｔ１とするとき、深さｂは厚みｔ１より小とすることができる。具体的には内径ｄ
１を２．０ｍｍ以上３．０ｍｍ以下、厚みｔ１を１．０ｍｍ以上１．５ｍｍ以下、溝８５
の幅ａを０．５ｍｍ以上２．０ｍｍ以下、溝８５の深さｂを０．２ｍｍ以上０．５ｍｍ以
下などとすることができる。これにより、流路の断面積の増加に対して、吸引管８０の内
壁と液体との接触面積が抑えられることになり、流路抵抗を減らすことができ、吸引力を
上げることができる。
吸引チューブ５の材質は、熱可塑性チューブであり、吸引チューブ５の内径ｄ２は、吸
引管８０の内径ｄ１よりも大きくすることが望ましい。
【００２４】
以上述べたように、本実施形態に係る医療用吸引管１００によれば、以下の効果を得る
ことができる。
吸引物の中で粘度の高い液体や固形物を吸引しても、溝８５があることで、吸引管８０
の内壁と吸引物との間に、溝８５による隙間ができる。この隙間により、粘度の高い液体
や固形物による吸引流路８１の閉塞が低減され、吸引力の低下を防ぐことができる。
【００２５】
なお、本発明は上述した実施形態に限定されず、上述した実施形態に種々の変更や改良
などを加えることが可能である。変形例を以下に述べる。
【００２６】
（変形例１）
次に、変形例１に係る吸引管８０ａについて、図４〜図６を参照して説明する。
図４は、変形例１に係る吸引管先端部を拡大した断面図である。図５は、図４のＢ１−
Ｂ１線の断面図である。図６は、図４のＢ２−Ｂ２線の断面図である。
吸引管８０ａの内壁には、図４〜図６に示すように、溝８５ａが螺旋状に設けられてい
る。
吸引管８０ａにおいても、図５および図６に示すように、螺旋状の溝８５ａが複数設け
られており、具体的には、溝８５ａを４個以上設けることが望ましい。
【００２７】
以上述べたように、本変形例に係る吸引管８０ａによれば、実施形態１での効果に加え
て、以下の効果を得ることができる。
螺旋状に設けた溝８５ａにより、吸引する液体が吸引方向に対して回転する渦流ができ
る。この渦流により、吸引流路８１ａの中心に空気の層ができる。このように吸引流路８
１ａの中心に空気の層ができることで、粘度の高い液体や固形物が吸引管内にとどまった
場合にも中心部には空間ができているため、吸引流路８１ａの閉塞を低減することができ
る。したがって、吸引力の低下を防ぐことができる。
【００２８】
（実施形態２）
次に、実施形態２に係る液体噴射装置１について、液体噴射装置の吸引管が前述した実
施形態１の医療用吸引管１００を取り付けた例を挙げて、図７〜図９を参照して説明する
。
図７は、実施形態２に係る液体噴射装置を示す構成説明図である。図８は、実施形態２
に係る液体噴射装置、噴射管、および吸引管を液体の噴射方向に沿って切断した切断面を
示す断面図である。図９は、図８のＣ−Ｃ線の断面図である。
なお、実施形態１と同一の構成部位については、同一の番号を使用し、重複する説明は
省略する。
【００２９】
液体噴射装置１は、図７に示すように、液体を収容する液体供給容器２と、液体供給手
段としての供給ポンプ１０と、供給ポンプ１０から供給された液体を脈流に変換させる脈
流発生部２０と、脈流発生部２０に連通し液体を噴射する噴射口７２を有する噴射管７０
と、噴射管７０が内部に配置されている吸引管８０と、吸引手段としての吸引ポンプ１１
と、吸引された排液や切除組織を収容する排液容器３と、を含み構成されている。脈流発
生部２０と供給ポンプ１０と液体供給容器２とは液体供給チューブ４によって接続されて
いる。また、吸引管８０と吸引ポンプ１１と排液容器３とは吸引チューブ５によって接続
されている。
【００３０】
脈流発生部２０は、圧電素子を用いたピエゾ方式や、バブルジェット（登録商標）方式
、レーザージェット方式等、液体を脈流に変換してパルス状に噴射させることが可能な方
式であれば適用可能であるが、以下に例示する脈流発生部２０は、ピエゾ方式の圧電素子
を用いている。
【００３１】
脈流発生部２０は、図８に示すように、液体室６０と、液体室６０の容積を変化させる
容積変動手段としての圧電素子３０と、ダイアフラム４０と、から構成されている。噴射
管７０は、液体室６０に連通する噴射流路７１を有し、先端部には流路が縮小された噴射
口７２が設けられている。脈流発生部２０は、圧電素子３０を駆動させることによって液
体室６０の容積を変化させ、供給ポンプ１０から液体室６０に供給された液体を脈流に変
換している。
【００３２】
噴射管７０は、図９に示すように、吸引管８０の中心から偏心させた状態で内挿されて
いるが、噴射管７０の外周面と吸引管８０の内周面が接触しない状態であっても良いし、
少なくとも一部が接触した状態であっても良い。吸引管８０の内壁に設けられた溝８５に
より、吸引流路８１の面積は、溝８５が無い場合よりも大きくなっている。また、噴射管
７０の外周面と吸引管８０の内周面が接触した状態であって、噴射管７０が溝８５に入る
ように配置すれば、吸引流路８１及び吸引開口部８２の大きさを、大きくすることができ
る。
【００３３】
以上述べたように、本実施形態に係る液体噴射装置１によれば、以下の効果を得ること
ができる。
噴射管７０を内部に配置した吸引管８０の内壁に溝８５が設けられているため、吸引流
路８１の断面積が、吸引管８０に溝８５がない場合に比べて大きくなる。吸引流路８１の
断面積が大きくなることにより、流路抵抗が小さくなり吸引力が向上する。こうすること
で、噴射された排出液の除去量も多くなり、良好な術視野が得られる。
【００３４】
なお、本発明は上述した実施形態に限定されず、上述した実施形態に種々の変更や改良
などを加えることが可能である。変形例を以下に述べる。
【００３５】
（変形例２）
前述した実施形態２において、液体噴射装置１は、吸引管８０の内部に噴射管７０が配
置されているため、吸引管８０による吸引により、噴射管７０の前方に液体が存在してし
まうことがあった。この場合、噴射管７０から噴射される液体のエネルギーが、噴射管７
０前方の液体によって減衰されてしまう。そこで、変形例２は、吸引管８０ｂの内壁に、
螺旋状の溝８５ｂを設けることで、噴射された排出液を、渦状に吸引することができる。
【００３６】
次に、変形例２に係る吸引管８０ｂについて、図１０を参照して説明する。
図１０は、変形例２に係る噴射管と吸引管の先端部を拡大した部分断面図である。
【００３７】
吸引管８０ｂの内壁には、図１０に示すように、螺旋状の溝８５ｂが設けられている。
また、噴射管７０は、吸引管８０ｂの内部に配置されるとともに、吸引管８０の中心か
ら偏心した状態とならないよう吸引管８０ｂの中心に配置されている。
【００３８】
以上述べたように、本変形例に係る吸引管８０ｂによれば、実施形態２での効果に加え
て、以下の効果を得ることができる。
溝８５ｂが螺旋状であるため、吸引する液体が溝８５ｂに沿って移動することになり、
吸引する液体が吸引方向に対して回転する渦流ができる。この渦流によって吸引流路８１
ｂの中央部に空気の層ができ、噴射管７０の前方に液体が存在しなくなる。そのため、噴
射管７０から噴射された液体のエネルギーが減衰されることなく対象物に届くため、切除
性能を向上することができる。
【００３９】
変形例２として噴射管７０が吸引管８０の中心から偏心した状態とならないよう吸引管
８０ｂの中心に配置される構成を採用したが、これに限定されない。噴射管７０の外周面
と吸引管８０の内周面が接触しない状態であれば偏心していてもよい。
【００４０】
なお、本実施形態で使用可能な吸引ポンプ１１としては、例えば、ロータリーポンプ、
ダイアフラムポンプ、シリンジポンプ等があり、医療用の吸引ポンプとして使われている
ものであるならば使用可能である。
また、使用可能な供給ポンプ１０としては、例えば、チューブポンプ、シリンジポンプ
、ダイアフラムポンプ、プランジャーポンプ等があり、容積ポンプで容易に滅菌可能で脈
動が少ないポンプが好ましい。
【００４１】
また、吸引管の材質として、金属材料や樹脂材料が使用可能であり、金属材料としては
ステンレス。樹脂材料としてはポリカーボネト（ＰＣ）、ポリプロピレン（ＰＰ）、ポリ
エーテルスルホン（ＰＥＳＵ）が使用できる。なお、吸引管８０内のノズルを視認するた
め透明な樹脂材料が好ましい。
【００４２】
本発明は、実施形態で説明した構成と実質的に同一の構成（例えば、機能、方法および
結果が同一の構成、あるいは目的および効果が同一の構成）を含む。また、本発明は、実
施形態で説明した構成の本質的でない部分を置き換えた構成を含む。また、本発明は、実
施形態で説明した構成と同一の作用効果を奏する構成または同一の目的を達成することが
できる構成を含む。また、本発明は、実施形態で説明した構成に公知技術を付加した構成
を含む。
【符号の説明】
【００４３】
１…液体噴射装置、２…液体供給容器、３…排液容器、４…液体供給チューブ、５…吸
引チューブ、１０…供給ポンプ、１１…吸引ポンプ、２０…脈流発生部、３０…圧電素子
、４０…ダイアフラム、６０…液体室、７０…噴射管、７１…噴射流路、７２…噴射口、
８０…吸引管、８１…吸引流路、８２…吸引開口部、８５…溝、１００…医療用吸引管。
【図１】
2017184845.tif 000003
【図２】
2017184845.tif 000004
【図３】
2017184845.tif 000005
【図４】
2017184845.tif 000006
【図５】
2017184845.tif 000007
【図６】
2017184845.tif 000008
【図７】
2017184845.tif 000009
【図８】
2017184845.tif 000010
【図９】
2017184845.tif 000011
【図１０】
2017184845.tif 000012